(57)【要約】      （修正有）【課題】十分な通気性があり、強度が強い靴下を提供する。【解決手段】足の先に相当する位置に配置された第１補強部１７と、踵に相当する位置に配置された第２補強部１３と、小指球に相当する位置に配置された第１クッション部１１と、拇指球に相当する位置に配置された第２クッション部１２と、甲に相当する位置に配置された第３クッション部１６と、通気性部１５と、を含む靴下１０を用いる。【選択図】図２
0003203961.tif 000002
【実用新案登録請求の範囲】
【請求項１】
足の先に相当する位置に配置され、補強された第１補強部と、
踵に相当する位置に配置され、補強された第２補強部と、
小指球に相当する位置に配置され、クッション性を有する第１クッション部と、
拇指球に相当する位置に配置され、クッション性を有する第２クッション部と、
甲に相当する位置に配置され、クッション性を有する第３クッション部と、
前記第１補強部と前記第２補強部と前記第１クッション部と前記第２クッション部と前記
第３クッション部以外の部分に配置され、通気性を有する通気性部と、を含む靴下。
【請求項２】
さらに、足の裏に位置する第５クッション部を有する請求項１記載の靴下。
【請求項３】
さらに、アキレス腱に位置する第４クッション部を有する請求項１または２記載の靴下。
【請求項４】
前記第１クッション部と前記第２クッション部と前記第３クッション部とは、凹凸によりクッション性を有する請求項１〜３のいずれか１項に記載の靴下。
【請求項５】
前記第１補強部と、前記第２補強部とはパイル編みである請求項１〜４のいずれか１項に記載の靴下。
【考案の詳細な説明】
【技術分野】
【０００１】
本願考案は、靴下に関する。
【背景技術】
【０００２】
従来から、スポーツ用の靴下として特許文献１に示す靴下１００があった。図１の平面図で説明する。従来の靴下１００は、クッション性素材に、通気性部１０１が設けてある。
スポーツで生じる足の汗を逃がすことができた。
【先行技術文献】
【特許文献】
【０００３】
【特許文献１】実開平６−８３７０６号公報
【考案の概要】
【考案が解決しようとする課題】
【０００４】
しかし、上記の靴下１００を、安全靴などを履く作業者が使用すると、通気性が不足し、靴下の破れの発生、蒸れてバイ菌発生などが生じる。これは、作業者は１日中使用するため、従来の靴下１００では、十分な通気性が足りず、強度的にも弱いためである。
そこで本願の課題は、十分な通気性があり、強度が強い靴下を提供することを課題とする。
【課題を解決するための手段】
【０００５】
上記課題を解決するため、足の先に相当する位置に配置された第１補強部と、踵に相当する位置に配置された第２補強部と、小指球に相当する位置に配置された第１クッション部と、拇指球に相当する位置に配置された第２クッション部と、甲に相当する位置に配置された第３クッション部と、通気性部と、を含む靴下を用いる。
【考案の効果】
【０００６】
本願考案の靴下は、十分な通気性があり、強度が強い靴下である。
【図面の簡単な説明】
【０００７】
【図１】従来の靴下の平面図
【図２】本願考案の靴下の平面図
【図３】本願考案の靴下の斜視図
【考案を実施するための形態】
【０００８】
一方、本願考案の靴下１０を、図２と図３に示す、図２は平面図である。図３は、足に本願の靴下をはめ、つま先立ちした状態の斜視図（足は省略）である。
＜構成＞
靴下１０は、第１補強部１７、第２補強部１３、第１クッション部１１、第２クッション部１２、第３クッション部１６、第４クッション部１４、第５クッション部１８、剥口部２０、凸部２０、それら以外の通気性部１５からなる。
【０００９】
第１補強部１７は、つま先部分であり、破れやい部分である。ポリエチレン繊維糸を使用して、補強した。ポリエチレン繊維糸として低分子量のポリエチレン繊維で低配向、結晶化度８５以下を使用した。密度１．０ｇ／ｃｍ３以下の軽い繊維を使用した。靴下１０全体の重量も軽減した。強度２５ｃＮ／ｄｔａｘ以上の繊維を使用した。パイル編み（靴下内部にループを作成する編み方法）している。
結果、第１補強部１７は伸び縮じみするが、裂けにくく、軽い。
なお、第１補強部１７の周辺、つまり、第１補強部１７と第２クッション部１２、第１クッション部１１との間は、ポリエチレン繊維糸を使用していないが、パイル編みをしている。その理由は母子球部は歩行時や運動時に負担が掛かりやすく、テーピングでその痛みを予防する場合もある。その為パイル編みを施しクッション性を高めるためである。
【００１０】
第２補強部１３は、かかと部分であり、破れやい部分である。上記と同じポリエチレン繊維糸を使用して、同様の補強をした。
第１クッション部１１は、小指球部分であり、衝撃防止が必要である。ナイロンで補強した。靴下１０は、着圧設計をするため、全体にゴムが入っている。そのゴムの伸縮性を活かし、ナイロン部分に畦柄を作っている。このため、畦によってできる凹凸によりクッションができる。このナイロン補強部分は、ベース生地の上に、さらにナイロンが覆いかぶさる構造となっている。このため、ベース生地より肉厚となり、クッションとなる。
【００１１】
第２クッション部１２は、拇指球部分であり、衝撃防止が必要である。第１クッション部１１と同様にクッション性を持たせ、補強をした。
第３クッション部１６は、甲部分であり、衝撃防止が必要である。第１クッション部１１と同様にクッション性を持たせ、補強した。
【００１２】
第４クッション部１４は、アキレス腱の部分であり、衝撃防止が必要である。第１クッション部１１と同様のクッション性を持たせ、補強をした。
第５クッション部１８は、足の裏部分であり、第１〜４のクッション部と異なり、ナイロンの補強はしていないが、クッションパイル編みをしている。疲労軽減とクッション性による保護を図っている。
【００１３】
通気性部１５は、上記以外の部分である。全体で通気性を確保している。通気性を確保するため、鹿の子編みにする。このことにより、着用時に広がる面積が大きくなる。このため、（ベンチレーションメッシュ編み構造）通気性を良くし、汗や熱を逃すような編み方をしている。結果、汗や熱を逃がすことができる。
【００１４】
凸部２０は、全体着圧構造と合わせて、柄部分の内側にできる凸形状である。足の筋肉（ヒラメ筋・腓腹筋など）に沿って入っている。このことで、マッサージ効果を図っている。
履き口部２１は、裏糸を抜いたゾッキ編みとしている。通常の靴下より締め付けの弱い設計となっている。なお、通常、靴下の編み組織は、表糸（表側に表れる糸）と裏糸（内側に表れる糸）を同時に編みこむことで生地が構成されている。 
<配置＞
第１補強部１７と、第２クッション部１２、第１クッション部１１とは、離間している。その間の通気性部１５により、つま先の汗、熱を放出できるようにしている。
【００１５】
第２クッション部１２、第３クッション部１６と、第１クッション部１１とは、離間している。その間の通気性部１５により、つま先の汗、熱を放出できるようにしている。
第２クッション部１２と第３クッション部１６とは隣接している。足の凸部の繋がりのためである。
【００１６】
第２補強部１３と第４クッション部１４は隣接している。アキレス腱を隙間なく連続的に保護するため、隙間を無くしている。
第１クッション部１１と第５クッション部１８とは、隣接している。足の裏と、小指球部分とに、連続的に、クッション性を持たせている。
【００１７】
靴下１０は、図３に示すように、線Ａ、線Ｂで大きく３つの部分に分かれる。つまり、第１補強部１７と、凸部２０、履き口部２１と、第１補強部１７、第２補強部１３、第１クッション部１１、第２クッション部１２、第３クッション部１６、第４クッション部１４、第５クッション部１８とである。線Ａ、線Ｂの部分で靴下１０は大きく変化（伸び縮み）するので、その部分を除いて、各部が配置されている。
さらに線Ｃにより。４つの領域に分けてもよい。つまり、第２クッション部１２、第３クッション部１６と、第４クッション部１４、第２補強部１３、第５クッション部１８、第１クッション部１１とである。
【００１８】
＜効果＞
上記の構造とすることで、本願考案の靴下１０は、補強すべきところは補強部を配置し、クッションすべきところはクッション部を配置し、その他は通気性部とした。このことで、十分な通気性があり、強度が強い靴下である。さらに、各サポート部があり、疲れもない。特に、１日作業する作業者には効果がある。必要なところにクッション、補強があり、全体に通気性があり、疲れない、蒸さない靴下である。
【００１９】
＜製法＞
全コース（爪先・踵を除く）にゴムを入れ、基本部分は綿素材の糸と伸縮性のある糸を使い丸編み機で編んでいる。補強必要箇所にはナイロンを足して編み込み、爪先・踵にはポリエチレン繊維糸を織り混ぜている。クッションが必要な部分へはパイル編みしている。
【００２０】
＜試験＞
摩耗強さ  ＪＩＳ  Ｌ１０９６法で６０００回以上もった。
摩耗強さＪＩＳ  Ｌ  １０９６の試験で、第１補強部１７（１６０００回以上）、第２補強部１３（６０００回以上）となった。試験条件、引張荷重１１．１Ｎ、押圧荷重４４．５Ｎである。
【００２１】
＜なお＞
各要素はすべてあることは必須ではない。第１補強部と、第２補強部と、第１クッション部と、第２クッション部と、第３クッション部と、通気性部とがあることが好ましい。
【００２２】
さらに、足の裏に位置する第５クッション部を有することが好ましい。
さらに、アキレス腱に位置する第４クッション部を有することが好ましい。
第１クッション部と第２クッション部と第３クッション部とは、凹凸によりクッション性を有することが好ましい。しかし、他の方法でクッション性を持たせてもよい。
【００２３】
第１補強部と、第２補強部とはパイル編みであることが好ましい。しかし、他の方法で補強してもよい。
各補強部は、少なくとも他の部分より補強され、強度が強い。各クッションは、少なくとも、他の部分よりクッション性に優れている。
【産業上の利用可能性】
【００２４】
本願考案の靴下は、作業用の靴に対して使用できる靴下である。また、スポーツ、ビジネス、生活用の靴にも使用できる靴下である。
【符号の説明】
【００２５】
Ａ，Ｂ…線、１０，１００…靴下、１１…第１クッション部、１２…第２クッション部、１３…第２補強部、１４…第４クッション部、１５，１０１…通気性部、１６…第３クッション部、１７…第１補強部、１８…第５クッション部、２０…凸部，剥口部、２１…口部。
【図１】
0003203961.tif 000003
【図２】
0003203961.tif 000004
【図３】
0003203961.tif 000005